【手続補正書】
【提出日】平成15年12月5日(2003.12.5)
【手続補正１】
【補正対象書類名】明細書
【補正対象項目名】特許請求の範囲
【補正方法】変更
【補正の内容】
【特許請求の範囲】
【請求項１】
第１の通信相手との通信中に第２の通信相手からの着信があった場合に通信回線から送出される発信者ＩＤ情報を受信する機能を備えた通信装置であって、
複数の着信応答手段と、前記発信者ＩＤ情報に基づき前記複数の着信応答手段の中から特定の着信応答手段を選択するか又は選択対象なしとする着信先選択手段とを有し、
前記第１の通信相手との通信中に前記第２の通信相手からの着信があり、前記発信者ＩＤ情報を受信すると共に、前記着信先選択手段により着信応答手段が選択された場合は、前記第１の通信相手との通信終了後に、情報受信端末起動信号を検出するより先に呼出信号を検出すると、前記選択された着信応答手段により着信動作を実行することを特徴とする通信装置。
【請求項２】
時間を計測する計時手段を有し、
前記第１の通信相手との通信中に前記第２の通信相手からの着信があり、前記発信者ＩＤ情報を受信すると共に、前記着信先選択手段により着信応答手段が選択された場合は、前記第１の通信相手との通信終了時点で前記計時手段により時間計測を開始し、前記計時手段による計測時間が一定の時間を経過する前に、前記情報受信端末起動信号を検出するより先に前記呼出信号を検出すると、前記選択された着信応答手段により着信動作を実行することを特徴とする請求項１記載の通信装置。
【請求項３】
第１の通信相手との通信中に第２の通信相手からの着信があった場合に通信回線から送出される発信者ＩＤ情報を受信する機能を備えた通信装置であって、
複数の着信応答手段と、前記発信者ＩＤ情報に基づき前記複数の着信応答手段の中から特定の着信応答手段を選択するか又は選択対象なしとする着信先選択手段とを有し、
前記第１の通信相手との通信中に、前記第１の通信相手以外の通信相手からの着信が複数回あり、前記複数回の着信の最後の着信時に前記発信者ＩＤ情報を受信すると共に、前記着信先選択手段により着信応答手段が選択された場合は、前記第１の通信相手との通信終了後に、情報受信端末起動信号を検出するより先に呼出信号を検出すると、前記選択された着信応答手段により着信動作を実行することを特徴とする通信装置。
【請求項４】
前記着信先選択手段は、前記選択された着信応答手段に装備されている表示部に対し前記発信者番号或いは理由を表示することを特徴とする請求項１乃至３の何れかに記載の通信装置。
【請求項５】
第１の通信相手との通信中に第２の通信相手からの着信があった場合に通信回線から送出される発信者ＩＤ情報を受信する機能を備えた通信装置に適用される着信動作制御方法であって、
前記発信者ＩＤ情報に基づき複数の着信応答手段の中から特定の着信応答手段を選択するか又は選択対象なしとする着信先選択工程を有し、
前記第１の通信相手との通信中に前記第２の通信相手からの着信があり、前記発信者ＩＤ情報を受信すると共に、前記着信先選択工程により着信応答手段が選択された場合は、前記第１の通信相手との通信終了後に、情報受信端末起動信号を検出するより先に呼出信号を検出すると、前記選択された着信応答手段により着信動作を実行することを特徴とする着信動作制御方法。
【請求項６】
第１の通信相手との通信中に第２の通信相手からの着信があった場合に通信回線から送出される発信者ＩＤ情報を受信する機能を備えた通信装置に適用される着信動作制御方法であって、
前記発信者ＩＤ情報に基づき複数の着信応答手段の中から特定の着信応答手段を選択するか又は選択対象なしとする着信先選択工程を有し、
前記第１の通信相手との通信中に、前記第１の通信相手以外の通信相手からの着信が複数回あり、前記複数回の着信の最後の着信時に前記発信者ＩＤ情報を受信すると共に、前記着信先選択工程により着信応答手段が選択された場合は、前記第１の通信相手との通信終了後に、情報受信端末起動信号を検出するより先に呼出信号を検出すると、前記選択された着信応答手段により着信動作を実行することを特徴とする着信動作制御方法。
【請求項７】
第１の通信相手との通信中に第２の通信相手からの着信があった場合に通信回線から送出される発信者ＩＤ情報を受信する機能を備えた通信装置に適用される着信動作制御方法を実行するプログラムを記憶したコンピュータにより読み出し可能な記憶媒体であって、
前記着信動作制御方法は、前記発信者ＩＤ情報に基づき複数の着信応答手段の中から特定の着信応答手段を選択するか又は選択対象なしとする着信先選択ステップと、前記第１の通信相手との通信中に前記第２の通信相手からの着信があり、前記発信者ＩＤ情報を受信すると共に、前記着信先選択ステップにより着信応答手段が選択された場合は、前記第１の通信相手との通信終了後に、情報受信端末起動信号を検出するより先に呼出信号を検出すると、前記選択された着信応答手段により着信動作を実行する着信動作実行ステップとを有することを特徴とする記憶媒体。
【請求項８】
第１の通信相手との通信中に第２の通信相手からの着信があった場合に通信回線から送出される発信者ＩＤ情報を受信する機能を備えた通信装置に適用される着信動作制御方法を実行するプログラムを記憶したコンピュータにより読み出し可能な記憶媒体であって、
前記着信動作制御方法は、前記発信者ＩＤ情報に基づき複数の着信応答手段の中から特定の着信応答手段を選択するか又は選択対象なしとする着信先選択ステップと、前記第１の通信相手との通信中に、前記第１の通信相手以外の通信相手からの着信が複数回あり、前記複数回の着信の最後の着信時に前記発信者ＩＤ情報を受信すると共に、前記着信先選択ステップにより着信応答手段が選択された場合は、前記第１の通信相手との通信終了後に、情報受信端末起動信号を検出するより先に呼出信号を検出すると、前記選択された着信応答手段により着信動作を実行する着信動作実行ステップとを有することを特徴とする記憶媒体。
【手続補正２】
【補正対象書類名】明細書
【補正対象項目名】０００７
【補正方法】変更
【補正の内容】
【０００７】
【課題を解決するための手段】
上記目的を達成するため、請求項１記載の発明は、第１の通信相手との通信中に第２の通信相手からの着信があった場合に通信回線から送出される発信者ＩＤ情報を受信する機能を備えた通信装置であって、複数の着信応答手段と、前記発信者ＩＤ情報に基づき前記複数の着信応答手段の中から特定の着信応答手段を選択するか又は選択対象なしとする着信先選択手段とを有し、前記第１の通信相手との通信中に前記第２の通信相手からの着信があり、前記発信者ＩＤ情報を受信すると共に、前記着信先選択手段により着信応答手段が選択された場合は、前記第１の通信相手との通信終了後に、情報受信端末起動信号を検出するより先に呼出信号を検出すると、前記選択された着信応答手段により着信動作を実行することを特徴とする。


【手続補正３】
【補正対象書類名】明細書
【補正対象項目名】０００８
【補正方法】変更
【補正の内容】
【０００８】
上記目的を達成するため、請求項２記載の発明は、時間を計測する計時手段を有し、前記第１の通信相手との通信中に前記第２の通信相手からの着信があり、前記発信者ＩＤ情報を受信すると共に、前記着信先選択手段により着信応答手段が選択された場合は、前記第１の通信相手との通信終了時点で前記計時手段により時間計測を開始し、前記計時手段による計測時間が一定の時間を経過する前に、前記情報受信端末起動信号を検出するより先に前記呼出信号を検出すると、前記選択された着信応答手段により着信動作を実行することを特徴とする。


【手続補正４】
【補正対象書類名】明細書
【補正対象項目名】０００９
【補正方法】変更
【補正の内容】
【０００９】
上記目的を達成するため、請求項３記載の発明は、第１の通信相手との通信中に第２の通信相手からの着信があった場合に通信回線から送出される発信者ＩＤ情報を受信する機能を備えた通信装置であって、複数の着信応答手段と、前記発信者ＩＤ情報に基づき前記複数の着信応答手段の中から特定の着信応答手段を選択するか又は選択対象なしとする着信先選択手段とを有し、前記第１の通信相手との通信中に、前記第１の通信相手以外の通信相手からの着信が複数回あり、前記複数回の着信の最後の着信時に前記発信者ＩＤ情報を受信すると共に、前記着信先選択手段により着信応答手段が選択された場合は、前記第１の通信相手との通信終了後に、情報受信端末起動信号を検出するより先に呼出信号を検出すると、前記選択された着信応答手段により着信動作を実行することを特徴とする。


【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
上記目的を達成するため、請求項４記載の発明は、前記着信先選択手段は、前記選択された着信応答手段に装備されている表示部に対し前記発信者番号或いは理由を表示することを特徴とする。


【手続補正７】
【補正対象書類名】明細書
【補正対象項目名】００１２
【補正方法】変更
【補正の内容】
【００１２】
上記目的を達成するため、請求項５記載の発明は、第１の通信相手との通信中に第２の通信相手からの着信があった場合に通信回線から送出される発信者ＩＤ情報を受信する機能を備えた通信装置に適用される着信動作制御方法であって、前記発信者ＩＤ情報に基づき複数の着信応答手段の中から特定の着信応答手段を選択するか又は選択対象なしとする着信先選択工程を有し、前記第１の通信相手との通信中に前記第２の通信相手からの着信があり、前記発信者ＩＤ情報を受信すると共に、前記着信先選択工程により着信応答手段が選択された場合は、前記第１の通信相手との通信終了後に、情報受信端末起動信号を検出するより先に呼出信号を検出すると、前記選択された着信応答手段により着信動作を実行することを特徴とする。


【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
上記目的を達成するため、請求項６記載の発明は、第１の通信相手との通信中に第２の通信相手からの着信があった場合に通信回線から送出される発信者ＩＤ情報を受信する機能を備えた通信装置に適用される着信動作制御方法であって、前記発信者ＩＤ情報に基づき複数の着信応答手段の中から特定の着信応答手段を選択するか又は選択対象なしとする着信先選択工程を有し、前記第１の通信相手との通信中に、前記第１の通信相手以外の通信相手からの着信が複数回あり、前記複数回の着信の最後の着信時に前記発信者ＩＤ情報を受信すると共に、前記着信先選択工程により着信応答手段が選択された場合は、前記第１の通信相手との通信終了後に、情報受信端末起動信号を検出するより先に呼出信号を検出すると、前記選択された着信応答手段により着信動作を実行することを特徴とする。


【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
上記目的を達成するため、請求項７記載の発明は、第１の通信相手との通信中に第２の通信相手からの着信があった場合に通信回線から送出される発信者ＩＤ情報を受信する機能を備えた通信装置に適用される着信動作制御方法を実行するプログラムを記憶したコンピュータにより読み出し可能な記憶媒体であって、前記着信動作制御方法は、前記発信者ＩＤ情報に基づき複数の着信応答手段の中から特定の着信応答手段を選択するか又は選択対象なしとする着信先選択ステップと、前記第１の通信相手との通信中に前記第２の通信相手からの着信があり、前記発信者ＩＤ情報を受信すると共に、前記着信先選択ステップにより着信応答手段が選択された場合は、前記第１の通信相手との通信終了後に、情報受信端末起動信号を検出するより先に呼出信号を検出すると、前記選択された着信応答手段により着信動作を実行する着信動作実行ステップとを有することを特徴とする。


【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
上記目的を達成するため、請求項８記載の発明は、第１の通信相手との通信中に第２の通信相手からの着信があった場合に通信回線から送出される発信者ＩＤ情報を受信する機能を備えた通信装置に適用される着信動作制御方法を実行するプログラムを記憶したコンピュータにより読み出し可能な記憶媒体であって、前記着信動作制御方法は、前記発信者ＩＤ情報に基づき複数の着信応答手段の中から特定の着信応答手段を選択するか又は選択対象なしとする着信先選択ステップと、前記第１の通信相手との通信中に、前記第１の通信相手以外の通信相手からの着信が複数回あり、前記複数回の着信の最後の着信時に前記発信者ＩＤ情報を受信すると共に、前記着信先選択ステップにより着信応答手段が選択された場合は、前記第１の通信相手との通信終了後に、情報受信端末起動信号を検出するより先に呼出信号を検出すると、前記選択された着信応答手段により着信動作を実行する着信動作実行ステップとを有することを特徴とする。


【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００７５
【補正方法】変更
【補正の内容】
【００７５】
【発明の効果】
以上説明したように、請求項１、４記載の通信装置によれば、第１の通信相手との通信中に第２の通信相手からの着信があり、発信者ＩＤ情報を受信すると共に、着信先選択手段により着信応答手段が選択された場合は、第１の通信相手との通信終了後に、情報受信端末起動信号を検出するより先に呼出信号を検出すると、選択された着信応答手段により着信動作を実行するため、下記の効果を奏する。


【手続補正１８】
【補正対象書類名】明細書
【補正対象項目名】００７６
【補正方法】変更
【補正の内容】
【００７６】
第１の通信相手との通信中に着信先指定相手から着信があり、第１の通信相手との通信が終了するまで着信先指定相手が呼出を継続していた場合に、発信者ＩＤ情報の通知なしに着信先指定相手からの呼出信号が到来しても、着信先指定相手に対して着信先指定動作を行うことができるようになる。即ち、着信先指定相手からのキャッチがあった場合に、情報受信端末起動信号より先に呼出信号を検出すると着信先指定動作を実行することができる。


【手続補正１９】
【補正対象書類名】明細書
【補正対象項目名】００７７
【補正方法】変更
【補正の内容】
【００７７】
請求項２、４記載の通信装置によれば、第１の通信相手との通信中に第２の通信相手からの着信があり、発信者ＩＤ情報を受信すると共に、着信先選択手段により着信応答手段が選択された場合は、第１の通信相手との通信終了時点で計時手段により時間計測を開始し、計時手段による計測時間が一定の時間を経過する前に、情報受信端末起動信号を検出するより先に呼出信号を検出すると、選択された着信応答手段により着信動作を実行するため、下記の効果を奏する。


【手続補正２０】
【補正対象書類名】明細書
【補正対象項目名】００７８
【補正方法】変更
【補正の内容】
【００７８】
第１の通信相手との通信中に着信先指定相手から着信があり、第１の通信相手との通信が終了するまで着信先指定相手が呼出を継続していた場合に、発信者ＩＤ情報の通知なしに着信先指定相手からの呼出信号が到来しても、着信先指定相手に対して着信先指定動作を行うことができるようになり、且つ、着信先指定相手以外の通信相手に対して間違って着信先指定動作をする不具合を排除することができる。即ち、着信先指定相手からのキャッチがあった場合に、通信終了後、一定の時間の間に情報受信端末起動信号より先に呼出信号を検出すると着信先指定動作を実行することができる。


【手続補正２１】
【補正対象書類名】明細書
【補正対象項目名】００７９
【補正方法】変更
【補正の内容】
【００７９】
請求項３、４記載の通信装置によれば、第１の通信相手との通信中に、第１の通信相手以外の通信相手からの着信が複数回あり、複数回の着信の最後の着信時に発信者ＩＤ情報を受信すると共に、着信先選択手段により着信応答手段が選択された場合は、第１の通信相手との通信終了後に、情報受信端末起動信号を検出するより先に呼出信号を検出すると、選択された着信応答手段により着信動作を実行するため、下記の効果を奏する。


【手続補正２２】
【補正対象書類名】明細書
【補正対象項目名】００８０
【補正方法】変更
【補正の内容】
【００８０】
第１の通信相手との通信中に複数回のキャッチがあり、通信終了後、情報受信端末起動信号より先に呼出信号を検出した場合、最後のキャッチの際に受信した発信者ＩＤ情報に基づいて着信先指定動作を実行することができる。


【手続補正２３】
【補正対象書類名】明細書
【補正対象項目名】００８１
【補正方法】変更
【補正の内容】
【００８１】
また、請求項５、６記載の着信動作制御方法、請求項７、８記載の記憶媒体においても、本発明の着信動作制御方法を通信装置で実行し、或いは本発明の記憶媒体から読み出した着信動作制御方法を通信装置で実行することで、上記と同様に、着信先指定相手からのキャッチがあった場合に、情報受信端末起動信号より先に呼出信号を検出すると着信先指定動作を実行することができ、また、着信先指定相手からのキャッチがあった場合に、通信終了後、一定の時間の間に情報受信端末起動信号より先に呼出信号を検出すると着信先指定動作を実行することができ、また、複数回のキャッチがあり、通信終了後、情報受信端末起動信号より先に呼出信号を検出した場合、最後のキャッチの際に受信した発信者ＩＤ情報に基づいて着信先指定動作を実行することができる。